【手続補正書】
【提出日】平成17年7月27日(2005.7.27)
【手続補正１】
【補正対象書類名】明細書
【補正対象項目名】特許請求の範囲
【補正方法】変更
【補正の内容】
【特許請求の範囲】
【請求項１】
プリント装置に依存した色空間の値であるサンプル値と、該サンプル値に基づいてプリント装置によりプリントされるカラーパッチの測色値との変換関係から当該プリント装置における他のサンプル値に対する測色値を推定する方法であって、
前記色空間の値を入力とし該値に対応した測色値を出力とするプリント装置の入出力特性を表わす非線型モデル式を用意し、
サンプル値と、該サンプル値に基づくカラーパッチの測色値との前記変換関係を求め、
該変換関係から、測色値に対するサンプル値の逆変換関係を求め、
所定の測色値に対し該逆変換関係から定まるサンプル値を前記非線型モデル式の入力とすることにより、当該出力として測色値を求め、
該求められた測色値と前記所定の測色値との色差に応じて、該色差が所定値より小となるよう前記非線型モデル式の係数を調整して当該非線型モデル式を決定し、
該決定した非線型モデル式によって測色値を推定する、
ステップを有したことを特徴とするカラーパッチに関する測色値の推定方法。
【請求項２】
プリント装置に依存した色空間の値であるサンプル値と、該サンプル値に基づいてプリント装置によりプリントされるカラーパッチの測色値との変換関係から、当該プリント装置のデバイス・プロファイルを作成する方法であって、
前記色空間の値を入力とし該値に対応した測色値を出力とするプリント装置の入出力特性を表わす非線型モデル式を用意し、
測色値を入力とし前記非線型モデル式に入力する前記色空間の値を出力とする色修正式を用意し、
サンプル値と、該サンプル値に基づくカラーパッチの測色値との前記変換関係を求め、
該変換関係から、測色値に対するサンプル値の逆変換関係を求め、
所定の測色値に対し該逆変換関係から定まるサンプル値を前記非線型モデル式の入力とすることにより、当該出力として測色値を求め、
該求められた測色値と前記所定の測色値との色差に応じて、該色差が所定値より小となるよう前記非線型モデル式の係数を調整して当該非線型モデル式を決定し、
所定の測色値を前記色修正式に入力し、該入力によって得られる前記色空間の値を前記非線型モデル式に入力して測色値を求め、
該求められた測色値と前記所定の測色値との色差に応じて、該色差が所定値より小となるよう前記色修正式の係数を調整して当該色修正式を決定する
ステップを有したことを特徴とするデバイス・プロファイルの作成方法。
【請求項３】
請求項１に記載の測色値推定方法により決定された非線型モデル式をルックアップテーブルとして有したことを特徴とする画像処理装置。
【請求項４】
請求項２に記載のデバイス・プロファイル作成方法により決定された非線型モデル式および／または色修正式をルックアップテーブルとして有したことを特徴とする画像処理装置。
【請求項５】
プリント装置に依存した色空間の値であるサンプル値と、該サンプル値に基づいてプリント装置によりプリントされるカラーパッチの測色値との変換関係から当該プリント装置における他のサンプル値に対する測色値を推定する画像処理装置であって、
前記色空間の値を入力とし該値に対応した測色値を出力とするプリント装置の入出力特性を表わす非線型モデル式を用意し、
サンプル値と、該サンプル値に基づくカラーパッチの測色値との前記変換関係を求め、
該変換関係から、測色値に対するサンプル値の逆変換関係を求め、
所定の測色値に対し該逆変換関係から定まるサンプル値を前記非線型モデル式の入力とすることにより、当該出力として測色値を求め、
該求められた測色値と前記所定の測色値との色差に応じて、該色差が所定値より小となるよう前記非線型モデル式の係数を調整して当該非線型モデル式を決定し、
該決定した非線型モデル式によって測色値を推定する、
処理を実行することを特徴とする画像処理装置。
【請求項６】
プリント装置に依存した色空間の値であるサンプル値と、該サンプル値に基づいてプリント装置によりプリントされるカラーパッチの測色値との変換関係から、当該プリント装置のデバイス・プロファイルを作成する画像処理装置であって、
前記色空間の値を入力とし該値に対応した測色値を出力とするプリント装置の入出力特性を表わす非線型モデル式を用意し、
測色値を入力とし前記非線型モデル式に入力する前記色空間の値を出力とする色修正式を用意し、
サンプル値と、該サンプル値に基づくカラーパッチの測色値との前記変換関係を求め、
該変換関係から、測色値に対するサンプル値の逆変換関係を求め、
所定の測色値に対し該逆変換関係から定まるサンプル値を前記非線型モデル式の入力とすることにより、当該出力として測色値を求め、
該求められた測色値と前記所定の測色値との色差に応じて、該色差が所定値より小となるよう前記非線型モデル式の係数を調整して当該非線型モデル式を決定し、
所定の測色値を前記色修正式に入力し、該入力によって得られる前記色空間の値を前記非線型モデル式に入力して測色値を求め、
該求められた測色値と前記所定の測色値との色差に応じて、該色差が所定値より小となるよう前記色修正式の係数を調整して当該色修正式を決定する
処理を実行することを特徴とする画像処理装置。
【請求項７】
プリント装置に依存した色空間の値であるサンプル値と、該サンプル値に基づいてプリント装置によりプリントされるカラーパッチの測色値との変換関係から当該プリント装置における他のサンプル値に対する測色値を推定する処理のプログラムを情報処理装置によって読み取り可能に格納した記憶媒体であって、
該プログラムは、
前記色空間の値を入力とし該値に対応した測色値を出力とするプリント装置の入出力特性を表わす非線型モデル式を用意し、
サンプル値と、該サンプル値に基づくカラーパッチの測色値との前記変換関係を求め、
該変換関係から、測色値に対するサンプル値の逆変換関係を求め、
所定の測色値に対し該逆変換関係から定まるサンプル値を前記非線型モデル式の入力とすることにより、当該出力として測色値を求め、
該求められた測色値と前記所定の測色値との色差に応じて、該色差が所定値より小となるよう前記非線型モデル式の係数を調整して当該非線型モデル式を決定する
ステップを有したことを特徴とする記憶媒体。
【請求項８】
プリント装置に依存した色空間の値であるサンプル値と、該サンプル値に基づいてプリント装置によりプリントされるカラーパッチの測色値との変換関係から、当該プリント装置のデバイス・プロファイルを作成する処理のプログラムを情報処理装置によって読み取り可能に格納した記憶媒体であって、
該プログラムは、
前記色空間の値を入力とし該値に対応した測色値を出力とするプリント装置の入出力特性を表わす非線型モデル式を用意し、
測色値を入力とし前記非線型モデル式に入力する前記色空間の値を出力とする色修正式を用意し、
サンプル値と、該サンプル値に基づくカラーパッチの測色値との前記変換関係を求め、
該変換関係から、測色値に対するサンプル値の逆変換関係を求め、
所定の測色値に対し該逆変換関係から定まるサンプル値を前記非線型モデル式の入力とすることにより、当該出力として測色値を求め、
該求められた測色値と前記所定の測色値との色差に応じて、該色差が所定値より小となるよう前記非線型モデル式の係数を調整して当該非線型モデル式を決定し、
所定の測色値を前記修正式に入力し、該入力によって得られる前記色空間の値を前記非線型モデル式に入力して測色値を求め、
該求められた測色値と前記所定の測色値との色差に応じて、該色差が所定値より小となるよう前記色修正式の係数を調整して当該色修正式を決定する
ステップを有したことを特徴とする記憶媒体。